(57)【特許請求の範囲】
【請求項１】
遠隔監視センター（１）において、デマンド制御対象毎の気候条件毎の目標電力を予め設定しておき、
遠隔監視センター（１）において、気象会社（３）から季節予報を取得し、
遠隔監視センター（１）において、取得した季節予報に基づいて各デマンド制御対象（４）の該当する気候条件の目標電力を選択し、
遠隔監視センター（１）において、選択された目標電力を該当するデマンド制御対象（４）に供給する
ことを特徴とするデマンド制御運用支援方法。
【請求項２】
遠隔監視センター（１）において、デマンド制御対象周辺の外気温とデマンド値との関係を規定する関係式を作成し、
遠隔監視センター（１）において、この関係式と気候条件毎のデマンド制御対象周辺の外気温に基づいて気候条件毎のデマンド値を算出し、
遠隔監視センター（１）において、気候条件毎に最大デマンド値を抽出し、最大デマンド値と制御率に基づいて目標電力を算出し、
遠隔監視センター（１）において、気象会社（３）から季節予報を取得し、
遠隔監視センター（１）において、季節予報に対応する目標電力を選択し、該当するデマンド制御対象（４）に供給する
ことを特徴とするデマンド制御運用支援方法。
【請求項３】
遠隔監視センター（１）において、デマンド制御対象周辺の外気温とデマンド値との関係を規定する関係式を作成し、
遠隔監視センター（１）において、この関係式と気候条件毎のデマンド制御対象周辺の外気温に基づいて気候条件毎のデマンド値を算出し、
遠隔監視センター（１）において、デマンド制御の実施期間が設定値になる目標電力を気候条件毎に算出し、
遠隔監視センター（１）において、気象会社（３）から季節予報を取得し、
遠隔監視センター（１）において、季節予報に対応する目標電力を選択し、該当するデマンド制御対象（４）に供給する
ことを特徴とするデマンド制御運用支援方法。
【請求項４】
請求項２の方法により気象条件毎に目標電力を算出し、
請求項３の方法により気象条件毎に目標電力を算出し、
遠隔監視センター（１）において、気象条件毎に、大きい方の目標電力を選択し、
遠隔監視センター（１）において、気象会社（３）から季節予報を取得し、
遠隔監視センター（１）において、季節予報に対応する大きい方の目標電力を選択し、該当するデマンド制御対象（４）に供給する
ことを特徴とするデマンド制御運用支援方法。
【請求項５】
ネットワーク（２）を通して気象会社（３）から季節予報を取得し、目標電力をネットワーク（２）を通してデマンド制御対象（４）に供給する請求項１から請求項４の何れかに記載のデマンド制御運用支援方法。
【請求項６】
遠隔監視センター（１）において、デマンド制御対象毎の気候条件毎の目標電力を予め設定しておく目標電力設定手段（１１）と、
遠隔監視センター（１）において、気象会社（３）から季節予報を取得する季節予報取得手段（１２）と、
遠隔監視センター（１）において、取得した季節予報に基づいて各デマンド制御対象の該当する気候条件の目標電力を選択する目標電力選択手段（１３）と、
遠隔監視センター（１）において、選択された目標電力を該当するデマンド制御対象（４）に供給する目標電力供給手段（１４）と
を含むことを特徴とするデマンド制御運用支援装置。
【請求項７】
遠隔監視センター（１）において、デマンド制御対象周辺の外気温とデマンド値との関係を規定する関係式を作成する関係式作成手段（２４）と、
遠隔監視センター（１）において、この関係式と気候条件毎のデマンド制御対象周辺の外気温に基づいて気候条件毎のデマンド値を算出するデマンド値算出手段（２６）と、
遠隔監視センター（１）において、気候条件毎に最大デマンド値を抽出し、最大デマンド値と制御率に基づいて目標電力を算出する目標電力算出手段（２７）と、
遠隔監視センター（１）において、気象会社（３）から季節予報を取得する季節予報取得手段（１２）と、
遠隔監視センター（１）において、季節予報に対応する目標電力を選択し、該当するデマンド制御対象（４）に供給する目標電力供給手段（１３）（１４）と
を含むことを特徴とするデマンド制御運用支援装置。
【請求項８】
遠隔監視センター（１）において、デマンド制御対象周辺の外気温とデマンド値との関係を規定する関係式を作成する関係式作成手段（２４）と、
遠隔監視センター（１）において、この関係式と気候条件毎のデマンド制御対象周辺の外気温に基づいて気候条件毎のデマンド値を算出するデマンド値算出手段（２６）と、
遠隔監視センター（１）において、デマンド制御の実施期間が設定値になる目標電力を気候条件毎に算出する目標電力算出手段（２７’）と、
遠隔監視センター（１）において、気象会社（３）から季節予報を取得する季節予報取得手段（１２）と、
遠隔監視センター（１）において、季節予報に対応する目標電力を選択し、該当するデマンド制御対象に供給する目標電力供給手段（１３）（１４）と
を含むことを特徴とするデマンド制御運用支援装置。
【請求項９】
遠隔監視センター（１）において、気象条件毎に、請求項７の装置により算出された目標電力と請求項８の装置により算出された目標電力のうち、大きい方の目標電力を選択する目標電力選択手段と、
遠隔監視センター（１）において、気象会社（３）から季節予報を取得する季節予報取得手段（１２）と、
遠隔監視センター（１）において、季節予報に対応する大きい方の目標電力を選択し、該当するデマンド制御対象に供給する目標電力供給手段（１３）（１４）と
を含むことを特徴とするデマンド制御運用支援装置。
【請求項１０】
前記季節予報取得手段（１２）は、ネットワーク（２）を通して気象会社（３）から季節予報を取得するものであり、前記目標電力供給手段（１３）（１４）は、選択された目標電力をネットワーク（２）を通して該当するデマンド制御対象（４）に供給するものである請求項６から請求項９の何れかに記載のデマンド制御運用支援装置。
【請求項１１】
各デマンド制御対象（４）において、設定された目標電力に基づいてデマンド制御を行いながら、デマンド値を抽出するとともに、デマンド制御中に算出された予測電力値からデマンド非制御状態に対応するデマンド値を推定し、
推定した非制御状態に対応するデマンド値をデマンド制御対象（４）から遠隔監視センター（１）に伝送し、
遠隔監視センター（１）において、推定されたデマンド値に基づいて、デマンド制御対象毎の気候条件毎の目標電力を予め設定し、
遠隔監視センター（１）において、気象会社（３）から季節予報を取得し、
遠隔監視センター（１）において、取得した季節予報に基づいて各デマンド制御対象（４）の該当する気候条件の目標電力を選択し、
遠隔監視センター（１）において、選択された目標電力を該当するデマンド制御対象（４）に供給する
ことを特徴とするデマンド制御運用支援方法。
【請求項１２】
各デマンド制御対象（４）において、設定された目標電力に基づいてデマンド制御を行いながら、デマンド値を抽出するとともに、デマンド制御中に算出された予測電力値からデマンド非制御状態に対応するデマンド値を推定し、
推定した非制御状態に対応するデマンド値をデマンド制御対象（４）から遠隔監視センター（１）に伝送し、
遠隔監視センター（１）において、デマンド制御対象周辺の外気温とデマンド値との関係を規定する関係式を作成し、
遠隔監視センター（１）において、この関係式と気候条件毎のデマンド制御対象周辺の外気温に基づいて気候条件毎のデマンド値を算出し、
遠隔監視センター（１）において、気候条件毎に最大デマンド値を抽出し、最大デマンド値と制御率に基づいて目標電力を算出し、
遠隔監視センター（１）において、気象会社（３）から季節予報を取得し、
遠隔監視センター（１）において、季節予報に対応する目標電力を選択し、該当するデマンド制御対象（４）に供給する
ことを特徴とするデマンド制御運用支援方法。
【請求項１３】
各デマンド制御対象（４）において、設定された目標電力に基づいてデマンド制御を行いながら、デマンド値を抽出するとともに、デマンド制御中に算出された予測電力値からデマンド非制御状態に対応するデマンド値を推定し、
推定した非制御状態に対応するデマンド値をデマンド制御対象（４）から遠隔監視センター（１）に伝送し、
遠隔監視センター（１）において、デマンド制御対象周辺の外気温とデマンド値との関係を規定する関係式を作成し、
遠隔監視センター（１）において、この関係式と気候条件毎のデマンド制御対象周辺の外気温に基づいて気候条件毎のデマンド値を算出し、
遠隔監視センター（１）において、デマンド制御の実施期間が設定値になる目標電力を気候条件毎に算出し、
遠隔監視センター（１）において、気象会社（３）から季節予報を取得し、
遠隔監視センター（１）において、季節予報に対応する目標電力を選択し、該当するデマンド制御対象（４）に供給する
ことを特徴とするデマンド制御運用支援方法。
【請求項１４】
請求項１２の方法により気象条件毎に目標電力を算出し、
請求項１３の方法により気象条件毎に目標電力を算出し、
遠隔監視センター（１）において、気象条件毎に、大きい方の目標電力を選択し、
遠隔監視センター（１）において、気象会社（３）から季節予報を取得し、
遠隔監視センター（１）において、季節予報に対応する大きい方の目標電力を選択し、該当するデマンド制御対象（４）に供給する
ことを特徴とするデマンド制御運用支援方法。
【請求項１５】
ネットワーク（２）を通して気象会社（３）から季節予報を取得し、目標電力をネットワーク（２）を通してデマンド制御対象（４）に供給する請求項１１から請求項１４の何れかに記載のデマンド制御運用支援方法。
【請求項１６】
各デマンド制御対象（４）において、設定された目標電力に基づいてデマンド制御を行いながら、デマンド値を抽出して保持するデマンド制御時データ保持手段（５４）と、
各デマンド制御対象（４）において、デマンド制御中に算出された予測電力値からデマンド非制御状態に対応するデマンド値を推定するデマンド値推定手段（６１）（６２）（６３）と、
推定した非制御状態に対応するデマンド値をデマンド制御対象（４）から遠隔監視センター（１）に伝送する伝送手段と、
遠隔監視センター（１）において、デマンド制御対象毎の気候条件毎の目標電力を予め設定しておく目標電力設定手段（１１）と、
遠隔監視センター（１）において、気象会社（３）から季節予報を取得する季節予報取得手段（１２）と、
遠隔監視センター（１）において、取得した季節予報に基づいて各デマンド制御対象の該当する気候条件の目標電力を選択する目標電力選択手段（１３）と、
遠隔監視センター（１）において、選択された目標電力を該当するデマンド制御対象（４）に供給する目標電力供給手段（１４）と
を含むことを特徴とするデマンド制御運用支援装置。
【請求項１７】
各デマンド制御対象（４）において、設定された目標電力に基づいてデマンド制御を行いながら、デマンド値を抽出して保持するデマンド制御時データ保持手段（５４）と、
各デマンド制御対象（４）において、デマンド制御中に算出された予測電力値からデマンド非制御状態に対応するデマンド値を推定するデマンド値推定手段（６１）（６２）（６３）と、
推定した非制御状態に対応するデマンド値をデマンド制御対象（４）から遠隔監視センター（１）に伝送する伝送手段と、
遠隔監視センター（１）において、デマンド制御対象周辺の外気温とデマンド値との関係を規定する関係式を作成する関係式作成手段（２４）と、
遠隔監視センター（１）において、この関係式と気候条件毎のデマンド制御対象周辺の外気温に基づいて気候条件毎のデマンド値を算出するデマンド値算出手段（２６）と、
遠隔監視センター（１）において、気候条件毎に最大デマンド値を抽出し、最大デマンド値と制御率に基づいて目標電力を算出する目標電力算出手段（２７）と、
遠隔監視センター（１）において、気象会社（３）から季節予報を取得する季節予報取得手段（１２）と、
遠隔監視センター（１）において、季節予報に対応する目標電力を選択し、該当するデマンド制御対象（４）に供給する目標電力供給手段（１３）（１４）と
を含むことを特徴とするデマンド制御運用支援装置。
【請求項１８】
各デマンド制御対象（４）において、設定された目標電力に基づいてデマンド制御を行いながら、デマンド値を抽出して保持するデマンド制御時データ保持手段（５４）と、
各デマンド制御対象（４）において、デマンド制御中に算出された予測電力値からデマンド非制御状態に対応するデマンド値を推定するデマンド値推定手段（６１）（６２）（６３）と、
推定した非制御状態に対応するデマンド値をデマンド制御対象（４）から遠隔監視センター（１）に伝送する伝送手段と、
遠隔監視センター（１）において、デマンド制御対象周辺の外気温とデマンド値との関係を規定する関係式を作成する関係式作成手段（２４）と、
遠隔監視センター（１）において、この関係式と気候条件毎のデマンド制御対象周辺の外気温に基づいて気候条件毎のデマンド値を算出するデマンド値算出手段（２６）と、
遠隔監視センター（１）において、デマンド制御の実施期間が設定値になる目標電力を気候条件毎に算出する目標電力算出手段（２７’）と、
遠隔監視センター（１）において、気象会社（３）から季節予報を取得する季節予報取得手段（１２）と、
遠隔監視センター（１）において、季節予報に対応する目標電力を選択し、該当するデマンド制御対象に供給する目標電力供給手段（１３）（１４）と
を含むことを特徴とするデマンド制御運用支援装置。
【請求項１９】
遠隔監視センター（１）において、気象条件毎に、請求項１７の装置により算出された目標電力と請求項１８の装置により算出された目標電力のうち、大きい方の目標電力を選択する目標電力選択手段と、
遠隔監視センター（１）において、気象会社（３）から季節予報を取得する季節予報取得手段（１２）と、
遠隔監視センター（１）において、季節予報に対応する大きい方の目標電力を選択し、該当するデマンド制御対象に供給する目標電力供給手段（１３）（１４）と
を含むことを特徴とするデマンド制御運用支援装置。
【請求項２０】
前記季節予報取得手段（１２）は、ネットワーク（２）を通して気象会社（３）から季節予報を取得するものであり、前記目標電力供給手段（１３）（１４）は、選択された目標電力をネットワーク（２）を通して該当するデマンド制御対象（４）に供給するものである請求項１６から請求項１９の何れかに記載のデマンド制御運用支援装置。
【発明の詳細な説明】
【０００１】
【発明の属する技術分野】
この発明はデマンド制御運用支援方法およびその装置に関し、さらに詳細にいえば、遠隔監視センターから各デマンド制御対象にネットワークを通して目標電力を供給する新規なデマンド制御運用支援方法およびその装置に関する。
【０００２】
【従来の技術】
実量制契約のデマンド制御対象においては、快適性とデマンド制御導入効果とを両立させるために、デマンド制御の目標電力をその年々の気候（例えば、猛暑、平年並み、冷夏など）に合わせて設定変更することが好ましい。
【０００３】
そして、目標電力を気候に合わせて設定変更する方法として、
（１）運転管理者が都度マニュアル操作で目標電力を設定変更する方法、および
（２）過去１年分の最大デマンド値を記憶しておき、これらの中から、例えば最大値を選択する方法（特公平８−１２２０５号公報参照）
が提案されている。
【０００４】
【発明が解決しようとする課題】
前記（１）の方法を採用した場合には、運転管理者にかなりの経験が必要であり、しかも目標電力を設定変更するための作業が煩雑であるという不都合がある。また、経験に乏しい運転管理者が目標電力を設定変更する場合には、快適性とデマンド制御導入効果とを両立させることができる目標電力に設定変更することができなくなってしまう。
【０００５】
前記（２）の方法を採用した場合には、必ずしも適切な目標電力が設定されるという保証がないという不都合がある。例えば、前年が猛暑であり、当年が冷夏である場合には、目標電力が大きすぎ、デマンド制御が全くかからない可能性が高い。逆に、前年が冷夏であり、当年が猛暑である場合には、目標電力が小さすぎ、デマンド制御がかかりすぎて快適性を大きく損なってしまう可能性が高い。
【０００６】
また、デマンド制御のための適切な目標電力を設定するためには、デマンド制御を行っていない年のデマンドデータが必要であるが、デマンド制御を導入した初年度からデマンド制御を行いたいという要求があった場合などには、そのデータが存在しないことが多く、この場合には次年度以降のための適切な目標電力を設定することができない。仮にデータが存在したとしても、設備変更があると設備変更前のデータは無意味になるので、この場合にも次年度以降のための適切な目標電力を設定することができない。
【０００７】
【発明の目的】
この発明は上記の問題点に鑑みてなされたものであり、簡単に、かつ確実に快適性とデマンド制御導入効果とを両立させることができるデマンド制御運用支援方法およびその装置を提供することを第１の目的とし、デマンド制御を行っていない年のデマンドデータが存在しない場合であってもデマンドデータを推定して適切な目標電力を設定することができるデマンド制御運用支援方法およびその装置を提供することを第２の目的としている。
【０００８】
【課題を解決するための手段】
請求項１のデマンド制御運用支援方法は、遠隔監視センターにおいて、デマンド制御対象毎の気候条件毎の目標電力を予め設定しておき、遠隔監視センターにおいて、気象会社から季節予報を取得し、遠隔監視センターにおいて、取得した季節予報に基づいて各デマンド制御対象の該当する気候条件の目標電力を選択し、遠隔監視センターにおいて、選択された目標電力を該当するデマンド制御対象に供給する方法である。
【０００９】
請求項２のデマンド制御運用支援方法は、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、気候条件毎に最大デマンド値を抽出し、最大デマンド値と制御率に基づいて目標電力を算出し、遠隔監視センターにおいて、気象会社から季節予報を取得し、遠隔監視センターにおいて、季節予報に対応する目標電力を選択し、該当するデマンド制御対象に供給する方法である。
【００１０】
請求項３のデマンド制御運用支援方法は、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、デマンド制御の実施期間が設定値になる目標電力を気候条件毎に算出し、遠隔監視センターにおいて、気象会社から季節予報を取得し、遠隔監視センターにおいて、季節予報に対応する目標電力を選択し、該当するデマンド制御対象に供給する方法である。
【００１１】
請求項４のデマンド制御運用支援方法は、請求項２の方法により気象条件毎に目標電力を算出し、請求項３の方法により気象条件毎に目標電力を算出し、遠隔監視センターにおいて、気象条件毎に、大きい方の目標電力を選択し、遠隔監視センターにおいて、気象会社から季節予報を取得し、遠隔監視センターにおいて、季節予報に対応する大きい方の目標電力を選択し、該当するデマンド制御対象に供給する方法である。
【００１２】
請求項５のデマンド制御運用支援方法は、ネットワークを通して気象会社から季節予報を取得し、目標電力をネットワークを通してデマンド制御対象に供給する方法である。
【００１３】
請求項６のデマンド制御運用支援装置は、遠隔監視センターにおいて、デマンド制御対象毎の気候条件毎の目標電力を予め設定しておく目標電力設定手段と、遠隔監視センターにおいて、気象会社から季節予報を取得する季節予報取得手段と、遠隔監視センターにおいて、取得した季節予報に基づいて各デマンド制御対象の該当する気候条件の目標電力を選択する目標電力選択手段と、遠隔監視センターにおいて、選択された目標電力を該当するデマンド制御対象に供給する目標電力供給手段とを含むものである。
【００１４】
請求項７のデマンド制御運用支援装置は、遠隔監視センターにおいて、デマンド制御対象周辺の外気温とデマンド値との関係を規定する関係式を作成する関係式作成手段と、遠隔監視センターにおいて、この関係式と気候条件毎のデマンド制御対象周辺の外気温に基づいて気候条件毎のデマンド値を算出するデマンド値算出手段と、遠隔監視センターにおいて、気候条件毎に最大デマンド値を抽出し、最大デマンド値と制御率に基づいて目標電力を算出する目標電力算出手段と、遠隔監視センターにおいて、気象会社から季節予報を取得する季節予報取得手段と、遠隔監視センターにおいて、季節予報に対応する目標電力を選択し、該当するデマンド制御対象に供給する目標電力供給手段とを含むものである。
【００１５】
請求項８のデマンド制御運用支援装置は、遠隔監視センターにおいて、デマンド制御対象周辺の外気温とデマンド値との関係を規定する関係式を作成する関係式作成手段と、遠隔監視センターにおいて、この関係式と気候条件毎のデマンド制御対象周辺の外気温に基づいて気候条件毎のデマンド値を算出するデマンド値算出手段と、遠隔監視センターにおいて、デマンド制御の実施期間が設定値になる目標電力を気候条件毎に算出する目標電力算出手段と、遠隔監視センターにおいて、気象会社から季節予報を取得する季節予報取得手段と、遠隔監視センターにおいて、季節予報に対応する目標電力を選択し、該当するデマンド制御対象に供給する目標電力供給手段とを含むものである。
【００１６】
請求項９のデマンド制御運用支援装置は、遠隔監視センターにおいて、気象条件毎に、請求項７の装置により算出された目標電力と請求項８の装置により算出された目標電力のうち、大きい方の目標電力を選択する目標電力選択手段と、遠隔監視センターにおいて、気象会社から季節予報を取得する季節予報取得手段と、遠隔監視センターにおいて、季節予報に対応する大きい方の目標電力を選択し、該当するデマンド制御対象に供給する目標電力供給手段とを含むものである。
【００１７】
請求項１０のデマンド制御運用支援装置は、前記季節予報取得手段として、ネットワークを通して気象会社から季節予報を取得するものを採用し、前記目標電力供給手段として、選択された目標電力をネットワークを通して該当するデマンド制御対象に供給するものを採用するものである。
【００１８】
請求項１１のデマンド制御運用支援方法は、各デマンド制御対象において、設定された目標電力に基づいてデマンド制御を行いながら、デマンド値を抽出するとともに、デマンド制御中に算出された予測電力値からデマンド非制御状態に対応するデマンド値を推定し、推定した非制御状態に対応するデマンド値をデマンド制御対象から遠隔監視センターに伝送し、遠隔監視センターにおいて、デマンド制御対象毎の気候条件毎の目標電力を予め設定しておき、遠隔監視センターにおいて、気象会社から季節予報を取得し、遠隔監視センターにおいて、取得した季節予報に基づいて各デマンド制御対象の該当する気候条件の目標電力を選択し、遠隔監視センターにおいて、選択された目標電力を該当するデマンド制御対象に供給する方法である。
【００１９】
請求項１２のデマンド制御運用支援方法は、各デマンド制御対象において、設定された目標電力に基づいてデマンド制御を行いながら、デマンド値を抽出するとともに、デマンド制御中に算出された予測電力値からデマンド非制御状態に対応するデマンド値を推定し、推定した非制御状態に対応するデマンド値をデマンド制御対象から遠隔監視センターに伝送し、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、気候条件毎に最大デマンド値を抽出し、最大デマンド値と制御率に基づいて目標電力を算出し、遠隔監視センターにおいて、気象会社から季節予報を取得し、遠隔監視センターにおいて、季節予報に対応する目標電力を選択し、該当するデマンド制御対象に供給する方法である。
【００２０】
請求項１３のデマンド制御運用支援方法は、各デマンド制御対象において、設定された目標電力に基づいてデマンド制御を行いながら、デマンド値を抽出するとともに、デマンド制御中に算出された予測電力値からデマンド非制御状態に対応するデマンド値を推定し、推定した非制御状態に対応するデマンド値をデマンド制御対象から遠隔監視センターに伝送し、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、デマンド制御の実施期間が設定値になる目標電力を気候条件毎に算出し、遠隔監視センターにおいて、気象会社から季節予報を取得し、遠隔監視センターにおいて、季節予報に対応する目標電力を選択し、該当するデマンド制御対象に供給する方法である。
【００２１】
請求項１４のデマンド制御運用支援方法は、請求項１２の方法により気象条件毎に目標電力を算出し、請求項１３の方法により気象条件毎に目標電力を算出し、遠隔監視センターにおいて、気象条件毎に、大きい方の目標電力を選択し、遠隔監視センターにおいて、気象会社から季節予報を取得し、遠隔監視センターにおいて、季節予報に対応する大きい方の目標電力を選択し、該当するデマンド制御対象に供給する方法である。
【００２２】
請求項１５のデマンド制御運用支援方法は、ネットワークを通して気象会社から季節予報を取得し、目標電力をネットワークを通してデマンド制御対象に供給する方法である。
【００２３】
請求項１６のデマンド制御運用支援装置は、各デマンド制御対象において、設定された目標電力に基づいてデマンド制御を行いながら、デマンド値を抽出して保持するデマンド制御時データ保持手段と、各デマンド制御対象において、デマンド制御中に算出された予測電力値からデマンド非制御状態に対応するデマンド値を推定するデマンド値推定手段と、推定した非制御状態に対応するデマンド値をデマンド制御対象から遠隔監視センターに伝送する伝送手段と、遠隔監視センターにおいて、デマンド制御対象毎の気候条件毎の目標電力を予め設定しておく目標電力設定手段と、遠隔監視センターにおいて、気象会社から季節予報を取得する季節予報取得手段と、遠隔監視センターにおいて、取得した季節予報に基づいて各デマンド制御対象の該当する気候条件の目標電力を選択する目標電力選択手段と、遠隔監視センターにおいて、選択された目標電力を該当するデマンド制御対象に供給する目標電力供給手段とを含むものである。
【００２４】
請求項１７のデマンド制御運用支援装置は、各デマンド制御対象において、設定された目標電力に基づいてデマンド制御を行いながら、デマンド値を抽出して保持するデマンド制御時データ保持手段と、各デマンド制御対象において、デマンド制御中に算出された予測電力値からデマンド非制御状態に対応するデマンド値を推定するデマンド値推定手段と、推定した非制御状態に対応するデマンド値をデマンド制御対象から遠隔監視センターに伝送する伝送手段と、遠隔監視センターにおいて、デマンド制御対象周辺の外気温とデマンド値との関係を規定する関係式を作成する関係式作成手段と、遠隔監視センターにおいて、この関係式と気候条件毎のデマンド制御対象周辺の外気温に基づいて気候条件毎のデマンド値を算出するデマンド値算出手段と、遠隔監視センターにおいて、気候条件毎に最大デマンド値を抽出し、最大デマンド値と制御率に基づいて目標電力を算出する目標電力算出手段と、遠隔監視センターにおいて、気象会社から季節予報を取得する季節予報取得手段と、遠隔監視センターにおいて、季節予報に対応する目標電力を選択し、該当するデマンド制御対象に供給する目標電力供給手段とを含むものである。
【００２５】
請求項１８のデマンド制御運用支援装置は、各デマンド制御対象において、設定された目標電力に基づいてデマンド制御を行いながら、デマンド値を抽出して保持するデマンド制御時データ保持手段と、各デマンド制御対象において、デマンド制御中に算出された予測電力値からデマンド非制御状態に対応するデマンド値を推定するデマンド値推定手段と、推定した非制御状態に対応するデマンド値をデマンド制御対象から遠隔監視センターに伝送する伝送手段と、遠隔監視センターにおいて、デマンド制御対象周辺の外気温とデマンド値との関係を規定する関係式を作成する関係式作成手段と、遠隔監視センターにおいて、この関係式と気候条件毎のデマンド制御対象周辺の外気温に基づいて気候条件毎のデマンド値を算出するデマンド値算出手段と、遠隔監視センターにおいて、デマンド制御の実施期間が設定値になる目標電力を気候条件毎に算出する目標電力算出手段と、遠隔監視センターにおいて、気象会社から季節予報を取得する季節予報取得手段と、遠隔監視センターにおいて、季節予報に対応する目標電力を選択し、該当するデマンド制御対象に供給する目標電力供給手段とを含むものである。
【００２６】
請求項１９のデマンド制御運用支援装置は、遠隔監視センターにおいて、気象条件毎に、請求項１７の装置により算出された目標電力と請求項１８の装置により算出された目標電力のうち、大きい方の目標電力を選択する目標電力選択手段と、遠隔監視センターにおいて、気象会社から季節予報を取得する季節予報取得手段と、遠隔監視センターにおいて、季節予報に対応する大きい方の目標電力を選択し、該当するデマンド制御対象に供給する目標電力供給手段とを含むものである。
【００２７】
請求項２０のデマンド制御運用支援装置は、前記季節予報取得手段として、ネットワークを通して気象会社から季節予報を取得するものを採用し、前記目標電力供給手段として、選択された目標電力をネットワークを通して該当するデマンド制御対象に供給するものを採用するものである。
【００２８】
【作用】
請求項１のデマンド制御運用支援方法であれば、遠隔監視センターにおいて、デマンド制御対象毎の気候条件毎の目標電力を予め設定しておき、遠隔監視センターにおいて、気象会社から季節予報を取得し、遠隔監視センターにおいて、取得した季節予報に基づいて各デマンド制御対象の該当する気候条件の目標電力を選択し、遠隔監視センターにおいて、選択された目標電力を該当するデマンド制御対象に供給するのであるから、当年の季節予報に合わせた適切な目標電力を設定することができ、最低限の環境維持と電気料金最小化とを両立化することができる。
【００２９】
請求項２のデマンド制御運用支援方法であれば、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、気候条件毎に最大デマンド値を抽出し、最大デマンド値と制御率に基づいて目標電力を算出し、遠隔監視センターにおいて、気象会社から季節予報を取得し、遠隔監視センターにおいて、季節予報に対応する目標電力を選択し、該当するデマンド制御対象に供給するのであるから、当年の季節予報に合わせて、環境悪化の度合いを拘束条件として目標電力を設定することができ、最低限の環境維持と電気料金最小化とを両立化することができる。
【００３０】
請求項３のデマンド制御運用支援方法であれば、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、デマンド制御の実施期間が設定値になる目標電力を気候条件毎に算出し、遠隔監視センターにおいて、気象会社から季節予報を取得し、遠隔監視センターにおいて、季節予報に対応する目標電力を選択し、該当するデマンド制御対象に供給するのであるから、当年の季節予報に合わせて、環境悪化を許容する期間を拘束条件として目標電力を設定することができ、最低限の環境維持と電気料金最小化とを両立化することができる。
【００３１】
請求項４のデマンド制御運用支援方法であれば、請求項２の方法により気象条件毎に目標電力を算出し、請求項３の方法により気象条件毎に目標電力を算出し、遠隔監視センターにおいて、気象条件毎に、大きい方の目標電力を選択し、遠隔監視センターにおいて、気象会社から季節予報を取得し、遠隔監視センターにおいて、季節予報に対応する大きい方の目標電力を選択し、該当するデマンド制御対象に供給するのであるから、当年の季節予報に合わせて、環境悪化の度合いと環境悪化を許容する期間とを拘束条件として目標電力を設定することができ、最低限の環境維持と電気料金最小化とを両立化することができる。
【００３２】
請求項５のデマンド制御運用支援方法であれば、ネットワークを通して気象会社から季節予報を取得し、目標電力をネットワークを通してデマンド制御対象に供給するのであるから、気象会社、デマンド制御対象に対する地理的制約を排除して、請求項１から請求項４の何れかと同様の作用を達成することができる。
【００３３】
請求項６のデマンド制御運用支援装置であれば、遠隔監視センターにおいて、目標電力設定手段によって、デマンド制御対象毎の気候条件毎の目標電力を予め設定しておき、遠隔監視センターにおいて、季節予報取得手段によって、気象会社から季節予報を取得する。そして、遠隔監視センターにおいて、目標電力選択手段によって、取得した季節予報に基づいて各デマンド制御対象の該当する気候条件の目標電力を選択し、遠隔監視センターにおいて、目標電力供給手段によって、選択された目標電力を該当するデマンド制御対象に供給することができる。
【００３４】
したがって、当年の季節予報に合わせた適切な目標電力を設定することができ、最低限の環境維持と電気料金最小化とを両立化することができる。
【００３５】
請求項７のデマンド制御運用支援装置であれば、遠隔監視センターにおいて、関係式作成手段によって、デマンド制御対象周辺の外気温とデマンド値との関係を規定する関係式を作成し、遠隔監視センターにおいて、デマンド値算出手段によって、この関係式と気候条件毎のデマンド制御対象周辺の外気温に基づいて気候条件毎のデマンド値を算出する。そして、遠隔監視センターにおいて、目標電力算出手段によって、気候条件毎に最大デマンド値を抽出し、最大デマンド値と制御率に基づいて目標電力を算出し、遠隔監視センターにおいて、季節予報取得手段によって、気象会社から季節予報を取得し、遠隔監視センターにおいて、目標電力供給手段によって、季節予報に対応する目標電力を選択し、該当するデマンド制御対象に供給することができる。
【００３６】
したがって、当年の季節予報に合わせて、環境悪化の度合いを拘束条件として目標電力を設定することができ、最低限の環境維持と電気料金最小化とを両立化することができる。
【００３７】
請求項８のデマンド制御運用支援装置であれば、遠隔監視センターにおいて、関係式作成手段によって、デマンド制御対象周辺の外気温とデマンド値との関係を規定する関係式を作成し、遠隔監視センターにおいて、デマンド値算出手段によって、この関係式と気候条件毎のデマンド制御対象周辺の外気温に基づいて気候条件毎のデマンド値を算出する。そして、遠隔監視センターにおいて、目標電力算出手段によって、デマンド制御の実施期間が設定値になる目標電力を気候条件毎に算出し、遠隔監視センターにおいて、季節予報取得手段によって、気象会社から季節予報を取得し、遠隔監視センターにおいて、目標電力供給手段によって、季節予報に対応する目標電力を選択し、該当するデマンド制御対象に供給することができる。
【００３８】
したがって、当年の季節予報に合わせて、環境悪化を許容する期間を拘束条件として目標電力を設定することができ、最低限の環境維持と電気料金最小化とを両立化することができる。
【００３９】
請求項９のデマンド制御運用支援装置であれば、遠隔監視センターにおいて、目標電力選択手段によって、気象条件毎に、請求項７の装置により算出された目標電力と請求項８の装置により算出された目標電力のうち、大きい方の目標電力を選択し、遠隔監視センターにおいて、季節予報取得手段によって、気象会社から季節予報を取得し、遠隔監視センターにおいて、目標電力供給手段によって、季節予報に対応する大きい方の目標電力を選択し、該当するデマンド制御対象に供給することができる。
【００４０】
したがって、当年の季節予報に合わせて、環境悪化の度合いと環境悪化を許容する期間とを拘束条件として目標電力を設定することができ、最低限の環境維持と電気料金最小化とを両立化することができる。
【００４１】
請求項１０のデマンド制御運用支援装置であれば、前記季節予報取得手段として、ネットワークを通して気象会社から季節予報を取得するものを採用し、前記目標電力供給手段として、選択された目標電力をネットワークを通して該当するデマンド制御対象に供給するものを採用するのであるから、気象会社、デマンド制御対象に対する地理的制約を排除して、請求項６から請求項９の何れかと同様の作用を達成することができる。
【００４２】
請求項１１のデマンド制御運用支援方法であれば、設定された目標電力に基づいてデマンド制御対象毎のデマンド制御を行って、デマンド値およびデマンド制御中に算出された予測電力値をデマンド制御対象において保持し、デマンド制御対象において、保持されているデマンド値および予測電力値に基づいてデマンド非制御状態に対応するデマンド値を推定し、推定した非制御状態に対応するデマンド値をデマンド制御対象から遠隔監視センターに伝送し、遠隔監視センターにおいて、デマンド制御対象毎の気候条件毎の目標電力を予め設定しておき、遠隔監視センターにおいて、気象会社から季節予報を取得し、遠隔監視センターにおいて、取得した季節予報に基づいて各デマンド制御対象の該当する気候条件の目標電力を選択し、遠隔監視センターにおいて、選択された目標電力を該当するデマンド制御対象に供給するのであるから、デマンド非制御状態に対応するデマンド値がない場合であっても、該当するデマンド値を推定することによって、当年の季節予報に合わせた適切な目標電力を設定することができ、最低限の環境維持と電気料金最小化とを両立化することができる。
【００４３】
請求項１２のデマンド制御運用支援方法であれば、設定された目標電力に基づいてデマンド制御対象毎のデマンド制御を行って、デマンド値およびデマンド制御中に算出された予測電力値をデマンド制御対象において保持し、デマンド制御対象において、保持されているデマンド値および予測電力値に基づいてデマンド非制御状態に対応するデマンド値を推定し、推定した非制御状態に対応するデマンド値をデマンド制御対象から遠隔監視センターに伝送し、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、気候条件毎に最大デマンド値を抽出し、最大デマンド値と制御率に基づいて目標電力を算出し、遠隔監視センターにおいて、気象会社から季節予報を取得し、遠隔監視センターにおいて、季節予報に対応する目標電力を選択し、該当するデマンド制御対象に供給するのであるから、デマンド非制御状態に対応するデマンド値がない場合であっても、該当するデマンド値を推定することによって、当年の季節予報に合わせて、環境悪化の度合いを拘束条件として目標電力を設定することができ、最低限の環境維持と電気料金最小化とを両立化することができる。
【００４４】
請求項１３のデマンド制御運用支援方法であれば、設定された目標電力に基づいてデマンド制御対象毎のデマンド制御を行って、デマンド値およびデマンド制御中に算出された予測電力値をデマンド制御対象において保持し、デマンド制御対象において、保持されているデマンド値および予測電力値に基づいてデマンド非制御状態に対応するデマンド値を推定し、推定した非制御状態に対応するデマンド値をデマンド制御対象から遠隔監視センターに伝送し、遠隔監視センターにおいて、デマンド制御対象周辺の外気温とデマンド値との関係を規定する関係式を作成し、遠隔監視センターにおいて、この関係式と気候条件毎のデマンド制御対象周辺の外気温に基づいて気候条件毎のデマンド値を算出し、遠隔監視センターにおいて、デマンド制御の実施期間が設定値になる目標電力を気候条件毎に算出し、遠隔監視センターにおいて、気象会社から季節予報を取得し、遠隔監視センターにおいて、季節予報に対応する目標電力を選択し、該当するデマンド制御対象に供給するのであるから、デマンド非制御状態に対応するデマンド値がない場合であっても、該当するデマンド値を推定することによって、当年の季節予報に合わせて、環境悪化を許容する期間を拘束条件として目標電力を設定することができ、最低限の環境維持と電気料金最小化とを両立化することができる。
【００４５】
請求項１４のデマンド制御運用支援方法であれば、請求項１２の方法により気象条件毎に目標電力を算出し、請求項１３の方法により気象条件毎に目標電力を算出し、遠隔監視センターにおいて、気象条件毎に、大きい方の目標電力を選択し、遠隔監視センターにおいて、気象会社から季節予報を取得し、遠隔監視センターにおいて、季節予報に対応する大きい方の目標電力を選択し、該当するデマンド制御対象に供給するのであるから、当年の季節予報に合わせて、環境悪化の度合いと環境悪化を許容する期間とを拘束条件として目標電力を設定することができ、最低限の環境維持と電気料金最小化とを両立化することができる。
【００４６】
請求項１５のデマンド制御運用支援方法であれば、ネットワークを通して気象会社から季節予報を取得し、目標電力をネットワークを通してデマンド制御対象に供給するのであるから、気象会社、デマンド制御対象に対する地理的制約を排除して、請求項１１から請求項１４の何れかと同様の作用を達成することができる。
【００４７】
請求項１６のデマンド制御運用支援装置であれば、設定された目標電力に基づいてデマンド制御対象毎のデマンド制御を行って、デマンド値およびデマンド制御中に算出された予測電力値をデマンド制御対象においてデマンド制御時データ保持手段によって保持し、デマンド制御対象において、デマンド値推定手段によって、保持されているデマンド値および予測電力値に基づいてデマンド非制御状態に対応するデマンド値を推定し、推定した非制御状態に対応するデマンド値をデマンド制御対象から遠隔監視センターに伝送する。そして、遠隔監視センターにおいて、目標電力設定手段によって、デマンド制御対象毎の気候条件毎の目標電力を予め設定しておき、遠隔監視センターにおいて、季節予報取得手段によって、気象会社から季節予報を取得する。そして、遠隔監視センターにおいて、目標電力選択手段によって、取得した季節予報に基づいて各デマンド制御対象の該当する気候条件の目標電力を選択し、遠隔監視センターにおいて、目標電力供給手段によって、選択された目標電力を該当するデマンド制御対象に供給することができる。
【００４８】
したがって、デマンド非制御状態に対応するデマンド値がない場合であっても、該当するデマンド値を推定することによって、当年の季節予報に合わせた適切な目標電力を設定することができ、最低限の環境維持と電気料金最小化とを両立化することができる。
【００４９】
請求項１７のデマンド制御運用支援装置であれば、設定された目標電力に基づいてデマンド制御対象毎のデマンド制御を行って、デマンド値およびデマンド制御中に算出された予測電力値をデマンド制御対象においてデマンド制御時データ保持手段によって保持し、デマンド制御対象において、デマンド値推定手段によって、保持されているデマンド値および予測電力値に基づいてデマンド非制御状態に対応するデマンド値を推定し、推定した非制御状態に対応するデマンド値をデマンド制御対象から遠隔監視センターに伝送する。そして、遠隔監視センターにおいて、関係式作成手段によって、デマンド制御対象周辺の外気温とデマンド値との関係を規定する関係式を作成し、遠隔監視センターにおいて、デマンド値算出手段によって、この関係式と気候条件毎のデマンド制御対象周辺の外気温に基づいて気候条件毎のデマンド値を算出する。そして、遠隔監視センターにおいて、目標電力算出手段によって、気候条件毎に最大デマンド値を抽出し、最大デマンド値と制御率に基づいて目標電力を算出し、遠隔監視センターにおいて、季節予報取得手段によって、気象会社から季節予報を取得し、遠隔監視センターにおいて、目標電力供給手段によって、季節予報に対応する目標電力を選択し、該当するデマンド制御対象に供給することができる。
【００５０】
したがって、デマンド非制御状態に対応するデマンド値がない場合であっても、該当するデマンド値を推定することによって、当年の季節予報に合わせて、環境悪化の度合いを拘束条件として目標電力を設定することができ、最低限の環境維持と電気料金最小化とを両立化することができる。
【００５１】
請求項１８のデマンド制御運用支援装置であれば、設定された目標電力に基づいてデマンド制御対象毎のデマンド制御を行って、デマンド値およびデマンド制御中に算出された予測電力値をデマンド制御対象においてデマンド制御時データ保持手段によって保持し、デマンド制御対象において、デマンド値推定手段によって、保持されているデマンド値および予測電力値に基づいてデマンド非制御状態に対応するデマンド値を推定し、推定した非制御状態に対応するデマンド値をデマンド制御対象から遠隔監視センターに伝送する。そして、遠隔監視センターにおいて、関係式作成手段によって、デマンド制御対象周辺の外気温とデマンド値との関係を規定する関係式を作成し、遠隔監視センターにおいて、デマンド値算出手段によって、この関係式と気候条件毎のデマンド制御対象周辺の外気温に基づいて気候条件毎のデマンド値を算出する。そして、遠隔監視センターにおいて、目標電力算出手段によって、デマンド制御の実施期間が設定値になる目標電力を気候条件毎に算出し、遠隔監視センターにおいて、季節予報取得手段によって、気象会社から季節予報を取得し、遠隔監視センターにおいて、目標電力供給手段によって、季節予報に対応する目標電力を選択し、該当するデマンド制御対象に供給することができる。
【００５２】
したがって、デマンド非制御状態に対応するデマンド値がない場合であっても、該当するデマンド値を推定することによって、当年の季節予報に合わせて、環境悪化を許容する期間を拘束条件として目標電力を設定することができ、最低限の環境維持と電気料金最小化とを両立化することができる。
【００５３】
請求項１９のデマンド制御運用支援装置であれば、遠隔監視センターにおいて、目標電力選択手段によって、気象条件毎に、請求項１７の装置により算出された目標電力と請求項１８の装置により算出された目標電力のうち、大きい方の目標電力を選択し、遠隔監視センターにおいて、季節予報取得手段によって、気象会社から季節予報を取得し、遠隔監視センターにおいて、目標電力供給手段によって、季節予報に対応する大きい方の目標電力を選択し、該当するデマンド制御対象に供給することができる。
【００５４】
したがって、デマンド非制御状態に対応するデマンド値がない場合であっても、該当するデマンド値を推定することによって、当年の季節予報に合わせて、環境悪化の度合いと環境悪化を許容する期間とを拘束条件として目標電力を設定することができ、最低限の環境維持と電気料金最小化とを両立化することができる。
【００５５】
請求項２０のデマンド制御運用支援装置であれば、前記季節予報取得手段として、ネットワークを通して気象会社から季節予報を取得するものを採用し、前記目標電力供給手段として、選択された目標電力をネットワークを通して該当するデマンド制御対象に供給するものを採用するのであるから、気象会社、デマンド制御対象に対する地理的制約を排除して、請求項１６から請求項１９の何れかと同様の作用を達成することができる。
【００５６】
【発明の実施の形態】
以下、添付図面を参照して、この発明のデマンド制御運用支援方法およびその装置の実施の態様を詳細に説明する。
【００５７】
図１はこの発明のデマンド制御運用支援方法の一実施態様が適用されるデマンド制御運用支援装置の構成を示す概略図である。
【００５８】
このデマンド制御運用支援装置は、遠隔監視センター１と、遠隔監視センター１に対してネットワーク２を介して接続された気象会社３、およびデマンド制御対象４とを有している。
【００５９】
前記遠隔監視センター１は、図２に示すように、デマンド制御対象毎の気候条件毎の目標電力を予め設定しておく目標電力設定部１１と、ネットワーク２を通して気象会社３から季節予報を取得する季節予報取得部１２と、取得した季節予報に基づいて各デマンド制御対象の該当する気候条件の目標電力を選択する目標電力選択部１３と、選択された目標電力をネットワーク２を通して該当するデマンド制御対象４に供給する目標電力供給部１４とを有している。
【００６０】
前記気象会社３は、当年に季節予報として、例えば、平年よりも平均気温が高くなる確率Ｐｈｏｔ、平均気温が平年並みになる確率Ｐｎｏｒｍａｌ、および平年よりも平均気温が低くなる確率Ｐｃｏｏｌを配信する。この季節予報は、気象会社３から直接的に取得する以外にも、マスコミなど気象情報を二次配信しているところからも取得可能であるから、気象会社からの取得とは、気象会社からの直接的な取得のみならず、マスコミなどからの間接的な取得をも含む。
【００６１】
前記デマンド制御対象４は、例えば、デマンド制御が行われるべき建物であり、目標電力に基づいてデマンド制御を行うデマンドコントローラ（図示せず）を有している。
【００６２】
前記ネットワーク２は、有線もしくは無線のネットワークであり、電話回線、インターネットなど種々のものが例示できる。
【００６３】
次いで、図３に示すフローチャートを参照して、図１のデマンド制御運用支援装置の作用を説明する。
【００６４】
ステップＳＰ１において、季節予報取得部１２によってネットワーク２を通して気象会社３から当年の季節予報を取得し、ステップＳＰ２において、各デマンド制御対象４を含む地域の季節予報の中から最も大きい確率を判定する。
【００６５】
そして、確率Ｐｃｏｏｌが最も大きい場合には、ステップＳＰ３において、冷夏用の目標電力を選択し、確率Ｐｎｏｒｍａｌが最も大きい場合には、ステップＳＰ４において、平年並用の目標電力を選択し、確率Ｐｈｏｔが最も大きい場合には、ステップＳＰ５において、猛暑用の目標電力を選択する。
【００６６】
その後は、ステップＳＰ６において、選択された目標電力を該当するデマンド制御対象４に供給し、そのまま一連の処理を終了する。
【００６７】
以上のようにして目標電力が供給されたデマンド制御対象４においては、この目標電力を用いてデマンドコントローラによってデマンド制御を行うことができる。
【００６８】
この結果、前年と当年との気候が大幅に異なる場合であっても、当年の季節予報に基づいて目標電力を選択することができ、最低限の環境維持（室内環境維持）と電気料金の最小化とを両立させることができる。
【００６９】
図４はこの発明のデマンド制御運用支援方法の他の実施態様が適用されるデマンド制御運用支援装置の要部の構成を示す概略図である。
【００７０】
このデマンド制御運用支援装置が図１のデマンド制御運用支援装置と異なる点は、遠隔監視センター１における目標電力設定部の構成のみである。
【００７１】
この遠隔監視センター１は、予め実測しておいたデマンド値を記憶するデマンド値記憶部２１と、ネットワーク２を通して気象会社３から、デマンド制御対象４周辺の外気温を取得して記憶する外気温記憶部２２と、予め設定されたデマンド制御の制御率（通常は２０〜３０％に設定される）を記憶する制御率記憶部２３と、デマンド値記憶部２１に記憶されているデマンド値と外気温記憶部２２に記憶されているデマンド制御対象周辺の外気温とに基づいて、外気温とデマンド値との関係を規定する関係式を作成する関係式作成部２４と、関係式と各気候時の外気温とに基づいて気温補正係数を算出する気温補正係数算出部２５と、気温補正係数とデマンド値とに基づいて各気候時におけるデマンド値を推定（気温を補正）する気温補正部（デマンド値算出手段）２６と、各気候時の最大デマンド値と制御率とに基づいて各気候時の目標電力を算出する目標電力算出部２７とを有している。
【００７２】
前記デマンド値記憶部２１は、デマンド値計測年（Ｙ年）に計測したデマンド値を記憶する。ここで、デマンド値は、例えば３０分毎に計測される値であり、デマンド制御が行われない状態において計測される。
【００７３】
前記外気温記憶部２２は、気象会社３において計測された複数箇所（例えば、アメダス観測所）における所定時刻の外気温を取得して記憶する。ただし、取得した外気温に基づく内挿補完処理を行って、よりきめ細かい外気温を得、デマンドデータと外気温との個数を互いに等しくすることが好ましい。
【００７４】
前記関係式作成部２４は、図５に示すように外気温Ｔ（℃）に対するデマンド値Ｄｐ（ｋＷ）の分布が得られた場合に、値が大きい点（設備の稼働率が高い点）を通るように関係式（例えば、Ｄｐ（Ｔ）＝ａ×Ｔ＋ｂ、ここで、ａ、ｂは定数）を作成する。
【００７５】
前記気温補正係数算出部２５は、デマンド値計測年（Ｙ年）における任意の月日時ｔの外気温をＴ（Ｙ年：ｔ）とし、冷夏時、平年並時、猛暑時における任意の月日時ｔの外気温をそれぞれＴ（冷夏：ｔ）、Ｔ（平年並：ｔ）、Ｔ（猛暑：ｔ）とした場合に、冷夏時、平年並時、猛暑時における任意の月日時ｔの気温補正係数α（冷夏：ｔ）、α（平年並：ｔ）、α（猛暑：ｔ）を次のようにして算出する。
α（冷夏：ｔ）＝Ｄｐ（Ｔ（冷夏：ｔ））÷Ｄｐ（Ｔ（Ｙ年：ｔ））
α（平年並：ｔ）＝Ｄｐ（Ｔ（平年並：ｔ））÷Ｄｐ（Ｔ（Ｙ年：ｔ））
α（猛暑：ｔ）＝Ｄｐ（Ｔ（猛暑：ｔ））÷Ｄｐ（Ｔ（Ｙ年：ｔ））
前記気温補正部２６は、Ｙ年に計測したデマンド非制御状態における任意時刻ｔのデマンド値Ｄｍ（Ｙ年：ｔ）に対して気温補正係数αを乗算して各気候時のデマンド非制御状態におけるデマンド値Ｄｍ’（気候：ｔ）を算出する。
【００７６】
ここで、関係式｛例えば、Ｄｐ（Ｔ）＝ａ×Ｔ＋ｂ｝は、収集した全データを使用して作成してもよいが、特定の時間帯のデータを選んで算出してもよい。例えば、昼間の８時から１８時のデータを使用して関係式を作成してもよく、または各時限毎に関係式を作成してもよい。
【００７７】
前記目標電力算出部２７は、各気候時の最大デマンド値ＭＡＸ（Ｄｍ’（気候：ｔ））を抽出し、冷夏時、平年並時、猛暑時における目標電力を次のようにして算出する。
目標電力：冷夏時＝ＭＡＸ（Ｄｍ’（冷夏：ｔ））−｛ＭＡＸ（Ｄｍ’（冷夏：ｔ））−Ｄｍｂａｓｅ｝×β
目標電力：平年並時＝ＭＡＸ（Ｄｍ’（平年並：ｔ））−｛ＭＡＸ（Ｄｍ’（平年並：ｔ））−Ｄｍｂａｓｅ｝×β
目標電力：猛暑時＝ＭＡＸ（Ｄｍ’（猛暑：ｔ））−｛ＭＡＸ（Ｄｍ’（猛暑：ｔ））−Ｄｍｂａｓｅ｝×β
ここで、βは制御率である。また、Ｄｍｂａｓｅは外気温の影響を受けない照明などによる消費電力である。この消費電力値は空気調和機が稼働していない月の最大デマンドとほぼ等しいとし、これを近似値として使用し、もしくは空気調和機を強制停止させて実測して使用する。
【００７８】
ただし、デマンド制御対象における外気温が継続的に計測されている場合には、この計測データを用いることにより、目標電力をより高精度に算出することができる。また、デマンド制御対象における外気温が短期間だけ計測されている場合には、この計測データと気象会社３からの外気温との関係を表す関係式を作成し、この関係式と気象会社３からの外気温を用いてデマンド制御対象における外気温を算出することにより、目標電力をより高精度に算出することができる。
【００７９】
次いで、図６のフローチャートを参照して、図４のデマンド制御運用支援装置の作用を説明する。
【００８０】
ステップＳＰ１において、外気温記憶部２２によって、ネットワーク２を通して気象会社３からデマンド制御対象周辺の外気温を取得するとともに、内挿補完を行ってきめ細かい外気温を生成して記憶し、ステップＳＰ２において、関係式作成部２４によって、外気温とデマンド記憶部２１に記憶されているデマンド値との関係式を最小自乗法などを用いて作成し、ステップＳＰ３において、気温補正係数算出部２５によって、関係式と各気候時の外気温とに基づいて気温補正係数を算出する。
【００８１】
そして、ステップＳＰ４において、気温補正部２６によって、気温補正係数とデマンド値とに基づいて各気候時のデマンド値を推定し、ステップＳＰ５において、目標電力算出部２７によって、各気候時の最大デマンド値を抽出し、これと制御率とに基づいて各気候時のデマンド制御の目標電力を算出する。
【００８２】
そして、このように目標電力が算出された後は、図３のフローチャートと同様の処理を行う。
【００８３】
以上のようにして目標電力が供給されたデマンド制御対象４においては、この目標電力を用いてデマンドコントローラによってデマンド制御を行うことができる。
【００８４】
この結果、環境悪化（室内環境悪化）の度合いを拘束条件として目標電力を算出することができ、前年と当年との気候が大幅に異なる場合であっても、当年のデマンド制御対象周辺の外気温に基づいて目標電力を算出することができ、最低限の環境維持（室内環境維持）と電気料金の最小化とを両立させることができる。
【００８５】
図７はこの発明のデマンド制御運用支援方法のさらに他の実施態様が適用されるデマンド制御運用支援装置の要部の構成を示す概略図である。
【００８６】
このデマンド制御運用支援装置が図４のデマンド制御運用支援装置と異なる点は、制御率記憶部２３に代えて、実施期間記憶部２８を採用した点、および目標電力算出部２７に代えて、推定された各気候時のデマンド値および実施期間に基づいて目標電力を算出する目標電力算出部２７’を採用した点のみである。
【００８７】
前記実施期間記憶部２８は、デマンド制御が実施される期間（デマンド制御が実施される累積時間数、もしくはデマンド制御が実施される日数）を記憶する。この期間は、予め設定されたものである。
【００８８】
前記目標電力算出部２７’は、各気候毎に収集されたデマンド値（図８参照）を値の大きい順に並べ替え（図９参照）、値が大きい方からの累積期間が設定された期間と等しくなる最も小さいデマンド値を求め（図１０参照）、これを目標電力とする。具体的には、値の大きい順に並べ替えたデマンド値が、冷夏時、平年並時、猛暑時のそれぞれに対応させて図１１中（Ａ）（Ｂ）（Ｃ）に示すとおりであり、しかも実施期間が図１１に示すように設定された場合には、実施期間の右端に対応するデマンド値を目標電力とする。
【００８９】
ここで、実施期間は、このようにデマンド制御がかかる全ての時限について求めてもよいが、軽微なものは快適性への影響が小さいと考えて対象外とし、電力抑制量が所定の値以上のものを対象にして求めてもよい。
【００９０】
例えば、電力抑制量が１０ｋＷ以上になる時限、あるいは、制御率が１０％以上になる時限をデマンド制御がかかった時限と定義し、これらについて累積期間を求めてもよい。
【００９１】
次いで、図１２のフローチャートを参照して、図７のデマンド制御運用支援装置の作用を説明する。
【００９２】
ステップＳＰ１において、外気温記憶部２２によって、ネットワーク２を通して気象会社３からデマンド制御対象周辺の外気温を取得するとともに、内挿補完を行ってきめ細かい外気温を生成して記憶し、ステップＳＰ２において、関係式作成部２４によって、外気温とデマンド記憶部２１に記憶されているデマンド値との関係式を最小自乗法などを用いて作成し、ステップＳＰ３において、気温補正係数算出部２５によって、関係式と各気候時の外気温とに基づいて気温補正係数を算出する。
【００９３】
そして、ステップＳＰ４において、気温補正部２６によって、気温補正係数とデマンド値とに基づいて各気候時のデマンド値を推定し、ステップＳＰ５において、目標電力算出部２７’によって、デマンド制御の実施期間が設定期間と等しくなる各気候時のデマンド制御の目標電力を求める。
【００９４】
このように目標電力が算出された後は、図３のフローチャートと同様の処理を行う。
【００９５】
以上のようにして目標電力が供給されたデマンド制御対象４においては、この目標電力を用いてデマンドコントローラによってデマンド制御を行うことができる。
【００９６】
この結果、環境悪化（室内環境悪化）を許容する期間を拘束条件として目標電力を算出することができ、前年と当年との気候が大幅に異なる場合であっても、当年のデマンド制御対象周辺の外気温に基づいて目標電力を算出することができ、最低限の環境維持（室内環境維持）と電気料金の最小化とを両立させることができる。
【００９７】
また、図４のデマンド制御運用支援装置により算出された目標電力と図７のデマンド制御運用支援装置により算出された目標電力とのうち、大きい方の目標電力をデマンド制御のための目標電力として採用することも可能である。
【００９８】
この場合には、環境悪化の度合いと環境悪化を許容する期間とを拘束条件として目標電力を算出することができ、前年と当年との気候が大幅に異なる場合であっても、当年のデマンド制御対象周辺の外気温に基づいて目標電力を算出することができ、最低限の環境維持（室内環境維持）と電気料金の最小化とを両立させることができる。
【００９９】
なお、以上の各実施態様においては、各気候毎に目標電力を設定し、これらの目標電力から何れかの目標電力を選択するようにしている。しかし、各気候の発生確率に基づいて目標電力を算出するようにしてもよい。具体的には、過去、最も涼しかった年の気温をもとに作成された冷夏時の目標電力ＫＷｃｏｏｌ、平年気温に近い年の気温をもとに作成された平年並時の目標電力ＫＷｎｏｒｍａｌ、および過去、最も暑かった年の気温をもとに作成された猛暑時の目標電力ＫＷｈｏｔを予め得ておくとともに、ネットワーク２を通して気象会社３から平年よりも平均気温が高くなる確率Ｐｈｏｔ、平均気温が平年並みになる確率Ｐｎｏｒｍａｌ、および平年よりも平均気温が低くなる確率Ｐｃｏｏｌを取得し、確率を重み付け係数として各目標電力を加重平均することにより目標電力（＝ＫＷｃｏｏｌ×Ｐｃｏｏｌ＋ＫＷｎｏｒｍａｌ×Ｐｎｏｒｍａｌ＋ＫＷｈｏｔ×Ｐｈｏｔ）を算出する。
【０１００】
上記の各実施態様を採用した場合には、遠隔監視センター１によって各デマンド制御対象４に対して、気候に合わせて最適な目標電力を遠隔設定することができるので、各デマンド制御対象４において目標電力を設定変更する必要がなくなり、しかも、大きな快適性低下を伴うことなく電気料金を低減することができる。そして、目標電力の遠隔設定により低減された電気料金の一部を請求することができる。ここで、電気料金低減額は、例えば、予め取り決めた基準電力（例えば、デマンド制御導入前の最大デマンド実績値）とデマンド制御導入後の最大デマンド実績値との差に電気料金単価などを乗算して算出することができる。
【０１０１】
図１３はこの発明のデマンド制御運用支援方法のさらに他の実施態様が適用されるデマンド制御運用支援装置の構成を示すブロック図である。
【０１０２】
このデマンド制御運用支援装置は、デマンド制御部５と非制御時デマンド値推定部６とを有している。
【０１０３】
前記デマンド制御部５は、デマンドパルスを入力としてデマンドパルスを積算するパルスカウンタ５１と、デマンド時限から経過時間を減算して残り時間を算出する残り時間演算部５２と、デマンドパルス計数値および残り時間を入力として予測電力を算出する予測電力演算部５３と、残り時間が０になった時に算出された現在電力をデマンド値として保持するデマンド値記憶部５４と、目標電力を保持する目標電力記憶部５５と、目標電力および算出された予測電力を入力として制御の要否を判定して判定結果を出力する制御要否判定部５６と、判定結果を入力として負荷制御のための処理を行う負荷制御部５７とを有している。
【０１０４】
前記予測電力演算部５３は、例えば、予め設定されているパルス重み×パルス積算値×（６０÷デマンド時限［分］）の演算を行って現在電力を算出し、この現在電力を用いて、現在電力＋（過去Δｔ分間の電力変化量÷サンプリング時間Δｔ）×（残り時間）の演算を行って予測電力を算出する。
【０１０５】
前記制御要否判定部５６は、例えば、目標電力÷デマンド時限×経過時間の演算を行って目標現在電力を算出し、経過時間＞Ｔロック時間（時限開始直後の、遮断指令出力を禁止すべき時間）、かつ予測電力≧目標電力、かつ現在電力≧目標現在電力である場合に、遮断指令出力を行って、最大レベルになるまで遮断レベルを１つ上げ、逆に、予測電力＜目標電力、かつ現在電力＜目標現在電力である場合に、復帰指令出力を行って、遮断レベル＝０になるまで遮断レベルを１つ下げる。これら以外の場合には、遮断指令出力、復帰指令出力の何れも行わない。
【０１０６】
上記の予測電力は時限開始直後に大きな値が算出され易いという問題があるが、このようにＴロック時間を制御要否の判定式に加えることで、時限開始直後に不要な遮断指令が出力されるのを阻止している。
【０１０７】
前記負荷制御部５７は、各遮断レベル毎に行う制御を予め設定しておき、制御要否判定部５６からの遮断レベルを入力として、この遮断レベルに対応して負荷群（例えば、空気調和機、照明器具など）を制御するための処理を行い、負荷制御データを出力する。ここで、制御としては、空気調和機の圧縮機の能力抑制、設定温度のシフト、空気調和機の室内機の強制サーモオフ（送風運転）、設備の停止などが例示できる。また、遮断レベルが高いほど、強い電力抑制がかかるように遮断レベル毎の制御が設定されている。
【０１０８】
前記非制御時デマンド値推定部６は、残り時間、予測電力、および遮断中／非遮断を示す判定結果を入力として最大値を抽出する最大値抽出部６１と、デマンド値記憶部５４に保持されているデマンド値および抽出された最大値を入力として非制御時に対応するデマンド値を保持する非制御時デマンド値記憶部６２と、デマンド値記憶部５４に保持されているデマンド値および非制御時デマンド値記憶部６２に保持されている非制御時に対応するデマンド値を入力としてデマンド非制御状態に対応するデマンド値を算出する非制御時デマンド値出力部６３とを有している。
【０１０９】
前記最大値抽出部６１は、デマンド制御が実行された時限について、デマンド制御を行わなかった場合のデマンド値を推定するものであり、具体的には、図１４に示すフローチャートの処理を行う。
【０１１０】
ステップＳＰ１において、残り時間が０か否か（時限が終了したか否か）を判定し、時限が終了していないと判定された場合には、ステップＳＰ２において、遮断中（遮断レベル＞０）か否かを判定し、遮断中と判定された場合には、ステップＳＰ３において、予測電力の最大値を格納するための変数ＭａｘＶａｌｕｅが算出された予測電力よりも小さいか否かを判定し、変数ＭａｘＶａｌｕｅが算出された予測電力よりも小さいと判定された場合には、ステップＳＰ４において、算出された予測電力を変数ＭａｘＶａｌｕｅに格納する。
【０１１１】
逆に、ステップＳＰ１において時限が終了したと判定された場合には、ステップＳＰ５において、変数ＭａｘＶａｌｕｅの値が０であるか否かを判定し、変数ＭａｘＶａｌｕｅの値が０でないと判定された場合には、ステップＳＰ６において、変数ＭａｘＶａｌｕｅの値を非制御時のデマンド推定値としてタイムスタンプを付けて非制御時デマンド値記憶部６２に記憶し、ステップＳＰ７において、変数ＭａｘＶａｌｕｅの値を０に初期化する。
【０１１２】
また、ステップＳＰ２において遮断中でないと判定された場合、ステップＳＰ３において変数ＭａｘＶａｌｕｅが算出された予測電力よりも小さくないと判定された場合、ステップＳＰ４の処理が行われた場合、ステップＳＰ５において変数ＭａｘＶａｌｕｅの値が０であると判定された場合、またはステップＳＰ７の処理が行われた場合には、再びステップＳＰ１の判定を行う。
【０１１３】
上記の処理は、
（１）  時々刻々出力される（例えば、１０秒毎に出力される）予測電力には、デマンド制御が行われなかった場合のデマンド値に近い値が含まれていること、および
（２）  遮断中（遮断レベル＞０）に算出された予測電力のうち、最大となる値がデマンド制御が行われなかった場合のデマンド値に近い値をとること、
を考慮してなされたものである。
【０１１４】
そして、上記の処理を行うことによって、デマンド制御の実行により低減した値が抽出されることを防止することができ、しかも、時限開始直後（Ｔロック時間の間）は遮断指令の出力が阻止されることに伴って、この期間には大きな予測電力が出力され易いにも拘わらず、この値が抽出されることを防止することができる。
【０１１５】
したがって、非制御時デマンド値記憶部６２には、遮断指令の出力があった時限のみに対応して、タイムスタンプと共に変数ＭａｘＶａｌｕｅの値（最大値）を保持することができる。
【０１１６】
以上を要約すれば、初年度からデマンド制御を行う場合には、任意に設定された目標電力に基づいて負荷群のデマンド制御を行って消費電力を低減するとともに、遮断指令が出力されたことに応答してタイムスタンプと共に変数ＭａｘＶａｌｕｅの値（最大値）を非制御時デマンド値記憶部６２に保持する。そして、デマンド値記憶部５４にデマンド値（実測値）｛例えば、図１５中（Ａ）参照｝を保持する。
【０１１７】
そして、次年度には、非制御時デマンド値出力部６３によって、図１５に示すように、デマンド値（実測値）｛例えば、図１５中（Ａ）参照｝に対し、非制御時デマンド値記憶部６２にタイムスタンプと共に保持されている変数ＭａｘＶａｌｕｅの値に基づく置換処理を行うことによって、デマンド制御を行わなかった場合に対応するデマンド値｛例えば、図１５中（Ｂ）参照｝を得ることができる。
【０１１８】
このようにしてデマンド制御を行わなかった場合に対応するデマンド値が得られた後は、図４、図７の実施態様と同様にして、適切な目標電力を設定してデマンド制御の運用支援を行うことができ、ひいては最小限の環境維持と電気料金最小化とを両立させることができる。
【０１１９】
【発明の効果】
請求項１の発明は、当年の季節予報に合わせた適切な目標電力を設定することができ、最低限の環境維持と電気料金最小化とを両立化することができるという特有の効果を奏する。
【０１２０】
請求項２の発明は、当年の季節予報に合わせて、環境悪化の度合いを拘束条件として目標電力を設定することができ、最低限の環境維持と電気料金最小化とを両立化することができるという特有の効果を奏する。
【０１２１】
請求項３の発明は、当年の季節予報に合わせて、環境悪化を許容する期間を拘束条件として目標電力を設定することができ、最低限の環境維持と電気料金最小化とを両立化することができるという特有の効果を奏する。
【０１２２】
請求項４の発明は、当年の季節予報に合わせて、環境悪化の度合いと環境悪化を許容する期間とを拘束条件として目標電力を設定することができ、最低限の環境維持と電気料金最小化とを両立化することができるという特有の効果を奏する。
【０１２３】
請求項５の発明は、気象会社、デマンド制御対象に対する地理的制約を排除して、請求項１から請求項４の何れかと同様の効果を奏する
請求項６の発明は、当年の季節予報に合わせた適切な目標電力を設定することができ、最低限の環境維持と電気料金最小化とを両立化することができるという特有の効果を奏する。
【０１２４】
請求項７の発明は、当年の季節予報に合わせて、環境悪化の度合いを拘束条件として目標電力を設定することができ、最低限の環境維持と電気料金最小化とを両立化することができるという特有の効果を奏する。
【０１２５】
請求項８の発明は、当年の季節予報に合わせて、環境悪化を許容する期間を拘束条件として目標電力を設定することができ、最低限の環境維持と電気料金最小化とを両立化することができるという特有の効果を奏する。
【０１２６】
請求項９の発明は、当年の季節予報に合わせて、環境悪化の度合いと環境悪化を許容する期間とを拘束条件として目標電力を設定することができ、最低限の環境維持と電気料金最小化とを両立化することができるという特有の効果を奏する。
【０１２７】
請求項１０の発明は、気象会社、デマンド制御対象に対する地理的制約を排除して、請求項６から請求項９の何れかと同様の効果を奏する
請求項１１の発明は、デマンド非制御状態に対応するデマンド値がない場合であっても、該当するデマンド値を推定することによって、当年の季節予報に合わせた適切な目標電力を設定することができ、最低限の環境維持と電気料金最小化とを両立化することができるという特有の効果を奏する。
【０１２８】
請求項１２の発明は、デマンド非制御状態に対応するデマンド値がない場合であっても、該当するデマンド値を推定することによって、当年の季節予報に合わせて、環境悪化の度合いを拘束条件として目標電力を設定することができ、最低限の環境維持と電気料金最小化とを両立化することができるという特有の効果を奏する。
【０１２９】
請求項１３の発明は、デマンド非制御状態に対応するデマンド値がない場合であっても、該当するデマンド値を推定することによって、当年の季節予報に合わせて、環境悪化を許容する期間を拘束条件として目標電力を設定することができ、最低限の環境維持と電気料金最小化とを両立化することができるという特有の効果を奏する。
【０１３０】
請求項１４の発明は、デマンド非制御状態に対応するデマンド値がない場合であっても、該当するデマンド値を推定することによって、当年の季節予報に合わせて、環境悪化の度合いと環境悪化を許容する期間とを拘束条件として目標電力を設定することができ、最低限の環境維持と電気料金最小化とを両立化することができるという特有の効果を奏する。
【０１３１】
請求項１５の発明は、気象会社、デマンド制御対象に対する地理的制約を排除して、請求項１１から請求項１４の何れかと同様の効果を奏する。
【０１３２】
請求項１６の発明は、デマンド非制御状態に対応するデマンド値がない場合であっても、該当するデマンド値を推定することによって、当年の季節予報に合わせた適切な目標電力を設定することができ、最低限の環境維持と電気料金最小化とを両立化することができるという特有の効果を奏する。
【０１３３】
請求項１７の発明は、デマンド非制御状態に対応するデマンド値がない場合であっても、該当するデマンド値を推定することによって、当年の季節予報に合わせて、環境悪化の度合いを拘束条件として目標電力を設定することができ、最低限の環境維持と電気料金最小化とを両立化することができるという特有の効果を奏する。
【０１３４】
請求項１８の、デマンド非制御状態に対応するデマンド値がない場合であっても、該当するデマンド値を推定することによって、当年の季節予報に合わせて、環境悪化を許容する期間を拘束条件として目標電力を設定することができ、最低限の環境維持と電気料金最小化とを両立化することができるという特有の効果を奏する。
【０１３５】
請求項１９の発明は、デマンド非制御状態に対応するデマンド値がない場合であっても、該当するデマンド値を推定することによって、当年の季節予報に合わせて、環境悪化の度合いと環境悪化を許容する期間とを拘束条件として目標電力を設定することができ、最低限の環境維持と電気料金最小化とを両立化することができるという特有の効果を奏する。
【０１３６】
請求項２０の発明は、気象会社、デマンド制御対象に対する地理的制約を排除して、請求項１６から請求項１９の何れかと同様の効果を奏する。
【図面の簡単な説明】
【図１】この発明のデマンド制御運用支援方法の一実施態様が適用されるデマンド制御運用支援装置の構成を示す概略図である。
【図２】遠隔監視センターの構成を示すブロック図である。
【図３】遠隔監視センターにおける処理を説明するフローチャートである。
【図４】この発明のデマンド制御運用支援方法の他の実施態様が適用されるデマンド制御運用支援装置の要部の構成を示す概略図である。
【図５】関係式の作成の一例を説明する図である。
【図６】図４のデマンド制御運用支援装置における処理の要部を説明するフローチャートである。
【図７】この発明のデマンド制御運用支援方法のさらに他の実施態様が適用されるデマンド制御運用支援装置の要部の構成を示す概略図である。
【図８】収集したデマンド計測値の一例を示す図である。
【図９】並べ替えたデマンド計測値を示す図である。
【図１０】目標電力を求める処理を説明する図である。
【図１１】冷夏時、平年並時、猛暑時の目標電力を求める処理を説明する図である。
【図１２】図７のデマンド制御運用支援装置における処理の要部を説明するフローチャートである。
【図１３】この発明のデマンド制御運用支援方法のさらに他の実施態様が適用されるデマンド制御運用支援装置の構成を示すブロック図である。
【図１４】最大値抽出部における処理を説明するフローチャートである。
【図１５】非制御時のデマンド値の作成処理を説明する概略図である。
【符号の説明】
１  遠隔監視センター    ２  ネットワーク
３  気象会社    ４  デマンド制御対象
１１  目標電力設定部    １２  季節予報取得部
１３  目標電力選択部    １４  目標電力供給部
２４  関係式作成部    ２６  気温補正部
２７、２７’  目標電力算出部    ５４  デマンド値記憶部
６２  非制御時デマンド値記憶部    ６３  非制御時デマンド値出力部
【図１】
0003564605.tif 000002
【図２】
0003564605.tif 000003
【図３】
0003564605.tif 000004
【図４】
0003564605.tif 000005
【図５】
0003564605.tif 000006
【図６】
0003564605.tif 000007
【図７】
0003564605.tif 000008
【図８】
0003564605.tif 000009
【図９】
0003564605.tif 000010
【図１０】
0003564605.tif 000011
【図１１】
0003564605.tif 000012
【図１２】
0003564605.tif 000013
【図１３】
0003564605.tif 000014
【図１４】
0003564605.tif 000015
【図１５】
0003564605.tif 000016